(57)【要約】【課題】簡易な構成で、片手で容易に鍋容器の取っ手部に着脱可能な鍋取っ手カバーを提供する。【解決手段】鍋取っ手カバー１は、鍋容器本体３から突設した一対の取っ手部３１に、着脱自在に装着可能な装着部１０を備えている。装着部１０内面に、取っ手部３１の突設方向に対する垂直方向に取っ手部３１を係止するための突出部１１、１２を備えている。装着部１０の開口端の上部に立設した上鍔片２１を備えている。装着部１０の開口端の下部に立設した下鍔片２２を備えている。装着部１０の下面に凹設部１５を備えている。鍋取っ手カバー１の表面の全面又は一部に、格子溝が形成されていることが好ましい。鍋取っ手カバー１は、弾性変形可能な軟質材で一体に形成されていることが好ましい。【選択図】図１
2018057564.tif 000002
【特許請求の範囲】
【請求項１】
鍋容器本体から突設した一対の取っ手部に、着脱自在に装着可能な装着部を備えた、上下方向に扁平な鍋取っ手カバー。
【請求項２】
前記装着部内面に、前記取っ手部の突設方向に対する垂直方向に該取っ手部を係止するための突出部を備えている請求項１に記載の鍋取っ手カバー。
【請求項３】
前記装着部の開口端の上部に立設した上鍔片を備えた請求項１又は２に記載の鍋取っ手カバー。
【請求項４】
前記装着部の開口端の下部に立設した下鍔片を備えた請求項１乃至３のうちのいずれか１項に記載の鍋取っ手カバー。
【請求項５】
前記装着部の上面及び／又は下面に凹設部を備えた請求項１乃至４のうちのいずれか１項に記載の鍋取っ手カバー。
【請求項６】
前記鍋取っ手カバーの表面の全面又は一部に、格子溝が形成されている請求項１乃至５のうちのいずれか１項に記載の鍋取っ手カバー。
【請求項７】
弾性変形可能な軟質材で一体に形成された請求項１乃至６のうちのいずれか１項に記載の鍋取っ手カバー。
【請求項８】
鍋容器本体から突設した一対の取っ手部に、着脱自在に装着可能な装着部を備えた、上下方向に扁平な鍋取っ手カバーであって、
前記装着部内面に、前記取っ手部の突設方向に対する垂直方向に該取っ手部を係止するための突出部を備え、
前記装着部の開口端の上部に立設した上鍔片を備え、該挿着部の開口端の下部に立設した下鍔片を備え、
前記装着部の下面に凹設部を備え、
前記装着部の上面及び、前記上鍔片表面のうちの該装着部側に、格子溝が形成され、
弾性変形可能な軟質材で一体に形成されたことを特徴とする鍋取っ手カバー。
【発明の詳細な説明】
【技術分野】
【０００１】
本発明は、鍋取っ手カバーに関する。更に詳しくは、簡易な構成で、片手で容易に鍋容器の取っ手部に着脱可能な鍋取っ手カバーに関する。
【背景技術】
【０００２】
鍋容器を用いて加熱調理を行う場合、鍋容器本体に取り付けられている取っ手部が高温となるため、加熱した鍋容器の移動に際しては、ミトンなどの鍋つかみを手に装着して行うのが通常である。
近年、美味しい料理が調理できる鋳物鍋が人気を博している。この鋳物鍋は、取っ手部までかなり高温となるため、鍋つかみは必須の用具となっている。
しかし、ミトンを手に装着するには、両手を使用する必要があり、手間取ることになる。忙しい時間帯における調理であれば尚更である。
更に、調理中は、味見や、調理状態のチェック、鍋容器の移動などで何度も熱い取っ手部に触れることが多くなる。
【０００３】
ここで、ガラス製の容器本体の取っ手部に取っ手カバーを着脱することができる電子レンジ用調理容器が提案されている（例えば、特許文献１参照。）。
【先行技術文献】
【特許文献】
【０００４】
【特許文献１】特開２００９−２１９７０１号公報
【発明の概要】
【発明が解決しようとする課題】
【０００５】
しかし、この特許文献１に記載の取っ手カバーは、取っ手部の外面を略密接状
態で覆うように装着されるものであり、他の形状、大きさの異なる容器には装着することができない。
本発明は、前記の課題を解決するものであり、簡易な構成で、片手で容易に鍋容器の取っ手部に着脱可能な鍋取っ手カバーを提供することを目的とする。
【課題を解決するための手段】
【０００６】
前記課題を解決するための本発明は、以下の通りである。
１．鍋容器本体から突設した一対の取っ手部に、着脱自在に装着可能な装着部を備えた、上下方向に扁平な鍋取っ手カバー。
２．前記装着部内面に、前記取っ手部の突設方向に対する垂直方向に該取っ手部を係止するための突出部を備えている１．に記載の鍋取っ手カバー。
３．前記装着部の開口端の上部に立設した上鍔片を備えた１．又は２．に記載の鍋取っ手カバー。
４．前記装着部の開口端の下部に立設した下鍔片を備えた１．乃至３．のうちのいずれか１項に記載の鍋取っ手カバー。
５．前記装着部の上面及び／又は下面に凹設部を備えた１．乃至４．のうちのいずれか１項に記載の鍋取っ手カバー。
６．鍋取っ手カバーの表面の全面又は一部に、格子溝が形成されている１．乃至５．のうちのいずれか１項に記載の鍋取っ手カバー。
７．弾性変形可能な軟質材で一体に形成された１．乃至６．のうちのいずれか１項に記載の鍋取っ手カバー。
８．鍋容器本体から突設した一対の取っ手部に、着脱自在に装着可能な装着部を備えた、上下方向に扁平な鍋取っ手カバーであって、
前記装着部内面に、前記取っ手部の突設方向に対する垂直方向に該取っ手部を係止するための突出部を備え、
前記装着部の開口端の上部に立設した上鍔片を備え、該挿着部の開口端の下部に立設した下鍔片を備え、
前記装着部の下面に凹設部を備え、
前記装着部の上面及び、前記上鍔片表面のうちの該装着部側に、格子溝が形成され、
弾性変形可能な軟質材で一体に形成されたことを特徴とする鍋取っ手カバー。
【発明の効果】
【０００７】
１．本発明の鍋取っ手カバーは、鍋容器本体の取っ手部に着脱自在に装着する装着部を備えているため、片手で容易に鍋容器の取っ手部に着脱することができる
２．装着部内面に、取っ手部を係止するための突出部を備えている場合には、ずれるのを防ぎ確実に取っ手部に取着することができる。
３．装着部の開口端の上部に立設した上鍔片を備えている場合には、この上鍔片を手指で持って取っ手部に装着することができる。更に、加熱された鍋容器本体に手指が接触するのを防ぐことができる。
４．装着部の開口端の下部に立設した下鍔片を備えている場合には、加熱された鍋容器本体の取っ手下部に手指が接触するのを防ぐことができる。
５．装着部の上面及び／又は下面に凹設部を備えている場合には、手指を凹設部に係合保持することで、確実に把手することができる。
６．鍋取っ手カバーの表面の全面又は一部に、格子溝が形成されている場合には、デザイン的に優れると共に、過度の弾性変形を抑制し剛性に優れるものとなる。
７．鍋取っ手カバーが弾性変形可能な軟質材で一体に形成される場合には、射出成形等によって容易に形成できるため、効率よく量産できる。
８．鍋取っ手カバーが、上記すべての構成を備えていれば、上記すべての効果を奏する。
【図面の簡単な説明】
【０００８】
【図１】実施形態の鍋取っ手カバーを鍋容器に装着した状態を示す断面図である。
【図２】実施形態の鍋取っ手カバーの上部から見た状態を示す斜視図である。
【図３】実施形態の鍋取っ手カバーの底部から見た状態を示す斜視図である。
【図４】（ａ）実施形態の鍋取っ手カバーを装着する前の鍋容器の状態を示す斜視図である。（ｂ）実施形態の鍋取っ手カバーを鍋容器の取っ手部に装着した状態を示す斜視図である。
【図５】実施形態の鍋取っ手カバーを鍋容器の取っ手部に装着する方法を示す説明斜視図である。
【図６】実施形態の鍋取っ手カバーを鍋容器の取っ手部に装着した状態を示す説明斜視図である。
【図７】実施形態の鍋取っ手カバーを装着した鍋容器の取っ手部を持ち上げる状態を示す説明斜視図である。
【図８】実施形態の鍋取っ手カバーを菜箸置きとして使用した例を示す斜視図である。
【図９】実施形態の鍋取っ手カバーを本の挟持具として使用した例を示す斜視図である。
【発明を実施するための形態】
【０００９】
以下、本発明の実施形態を示す図１〜９を参照しながら本発明を詳しく説明する。
尚、本発明は、かかる図に記載された具体例に示すものに限られず、目的、用途に応じて種々変更したものとすることができる。
【００１０】
鍋取っ手カバー１は、本発明を具体化している。
図１に示すように、鍋容器本体３と鍋蓋４とからなる鍋容器５において、鍋取っ手カバー１は、鍋容器本体３の取っ手部３１に着脱自在に装着するものであり、装着部１０を備えている。
そのため、図５〜図７に示すように、片手で容易に鍋容器５の取っ手部３１に着脱することができる。
また、装着部１０の内面に、取っ手部３１を係止するための突出部１１、１２を備えているため、鍋取っ手カバー１が取っ手部３１からズレるのを防止し、確実に装着することができる。
【００１１】
装着部１０の開口端の上部に立設した上鍔片２１を備えているため、この上鍔片２１を手指で持って取っ手部３１に装着することができる。更に、加熱された鍋容器本体への手指の接触を防ぐことができる。
装着部１０の開口端の下部に立設した下鍔片２２を備えているため、加熱された鍋容器本体３の取っ手下部への手指の接触を防ぐことができる。
【００１２】
装着部１０の下面に凹設部１５を備えているため、手指を凹設部１５に係合保持することで、確実に把手することができる。
図２に示すように、鍋取っ手カバー１の上面に、格子溝１０ａが形成されている。そのため、デザイン的に優れると共に、過度の弾性変形を抑制して形状を保持し、剛性に優れるものとなる。
鍋取っ手カバー１の材質は、弾性変形可能な軟質材で一体に形成されている。
弾性変形可能な軟質材であれば特に限定はないが、耐熱性に優れるゴム状の合成樹脂であることが好ましく、更に伸縮性に優れるシリコーン樹脂であることが特に好ましい。
伸縮性に優れることで、鍋容器の種々の形状、大きさの取っ手部に適合可能で汎用性のある鍋取っ手カバーを実現している。
また、シリコーン樹脂であれば、滑りにくい素材であるため、取っ手部３１から滑落するおそれもない。
【００１３】
（使用方法）
図５に示すように、鍋取っ手カバー１の上鍔片２１を手指で把持して、鍋容器５の取っ手部３１に装入する。次いで、図６に示すように、鍋取っ手カバー１を取っ手部３１に確実に装着する。
図４に示すように、鍋容器５の対向側の取っ手部３２にも同様に、鍋取っ手カバー２を装着する。鍋取っ手カバー２は、鍋取っ手カバー１と対称に形成されており、その構成及び作用効果は、鍋取っ手カバー１と同様である。
鍋容器５を移動するには、取っ手部３１、３２に装着した鍋取っ手カバー１、２をしっかりと手指で把持して、両手で持ち上げる（図７参照）。
この時、図３に示すように、下側に凹設部１５が形成されているため、確実に把持することができる。
【００１４】
（他の使用例）
鍋取っ手カバー１は、鍋容器の取っ手部に装着して使用するのが本来的な使用方法であるが、図８に示すように、鍋取っ手カバー１上に菜箸６を載置することができ、調理中に菜箸置きとしても利用できる。更に、図９に示すように、鍋取っ手カバー１、２の装着口に、本７の端部を装着することができ、調理中にレシピ本を固定するための挟持具としても使用できる。軟質の滑りにくい素材であるため、分厚い本であっても、装着口に確実に固定することができる。
【符号の説明】
【００１５】
１、２；鍋取っ手カバー、３；鍋容器本体、１０；装着部、１０ａ；格子溝１１、１２；突出部、１５；凹設部、２１；上鍔片、２２；下鍔片、３１、３２；取っ手部
【図１】
2018057564.tif 000003
【図２】
2018057564.tif 000004
【図３】
2018057564.tif 000005
【図４】
2018057564.tif 000006
【図５】
2018057564.tif 000007
【図６】
2018057564.tif 000008
【図７】
2018057564.tif 000009
【図８】
2018057564.tif 000010
【図９】
2018057564.tif 000011